(57)【要約】【課題】３端子レギュレータを用いずに、発振回路による消費電力を抑えて、発光素子を長期間点滅させることができる装飾品を提供する。【解決手段】装飾品としてのピアス１０は、装飾品本体としてのピアス本体１２を含む。ピアス本体１２の内部には、発光素子としての発光ダイオード２２が設けられる。発光ダイオード２２は、ピアス本体１２内の電源としての二次電池２４、スイッチング回路２６および相補型ＭＯＳを利用した発振回路３０などによって点滅される。二次電池２４の電圧が抵抗器４２とコンデンサ４４とで分圧され、コンデンサ４４間側の電圧が、発振回路３０の電源電圧として、発振回路３０の相補型ＭＯＳを利用したヒステリシス特性を有するインバータ３２の電源端子３２ａおよびグランド端子間に供給される。【選択図】図３
2006061465.tif 000002
【特許請求の範囲】
【請求項１】
装飾品本体、
点灯状態が外部からわかるように前記装飾品本体に設けられる発光素子、
電源、
前記電源を前記発光素子に接続して前記発光素子を点灯状態にしたり前記電源から前記発光素子を切断して前記発光素子を消灯状態にしたりするためのスイッチング回路、および
前記発光素子の点灯状態および消灯状態を切り替えるために、前記スイッチング回路の状態を切り替えるための発振回路を含み、
前記電源、前記スイッチング回路および前記発振回路は、前記装飾品本体に設けられ、
前記発振回路で前記スイッチング回路の状態を切り替えることによって前記発光素子を点滅させるようにした装飾品であって、
前記発振回路として相補型ＭＯＳを利用した発振回路が用いられ、
前記電源の電圧が前記装飾品本体に設けられた抵抗器およびコンデンサで分圧され、前記コンデンサ間側の電圧が前記発振回路の電源電圧として前記発振回路に供給されるように構成された、装飾品。
【発明の詳細な説明】
【技術分野】
【０００１】
この発明は装飾品に関し、特に身体や衣服につけられる、たとえば、ピアス、イヤリング、ネクタイピン、ブレスレット、ペンダント、ブローチ、ネックレス、指輪等の装飾品に関する。
【背景技術】
【０００２】
この発明の背景となる従来の装飾品が、たとえば特許文献１に開示されている。また、特許文献１には、発光ダイオードを有する装飾品に点滅回路等を組み込んで発光ダイオードを適宜点滅させることが開示されている。
【０００３】
【特許文献１】特開２００４−８９３７８公報
【発明の開示】
【発明が解決しようとする課題】
【０００４】
上述のように発光ダイオードを点滅させる装飾品では、発光ダイオードを点滅させる点滅回路等に消費電力の小さい相補型ＭＯＳ（Ｃ−ＭＯＳ）を利用した発振回路が用いられる場合がある。
しかしながら、そのような発振回路を用いた装飾品でも、発振回路による消費電力が全体の消費電力から見れば比較的大きいので、装飾品に組み込まれた電源だけでは発光ダイオードを長期間点滅させにくい。
このような発振回路を用いた装飾品において、発振回路の消費電力を抑えるためには、装飾品に組み込まれた電源の電圧を３端子レギュレータで低下して発振回路の電源電圧として発振回路に供給することが考えられる。
しかしながら、このように装飾品に３端子レギュレータを用いれば、発振回路の消費電力を抑えることはできても、３端子レギュレータによる消費電力が大きいので、装飾品に組み込まれた電源だけでは発光ダイオードを長期間点滅させにくい。
【０００５】
それゆえに、この発明の主たる目的は、３端子レギュレータを用いずに、発振回路による消費電力を抑えて、発光素子を長期間点滅させることができる装飾品を提供することである。
【課題を解決するための手段】
【０００６】
この発明にかかる装飾品は、装飾品本体と、点灯状態が外部からわかるように装飾品本体に設けられる発光素子と、電源と、電源を発光素子に接続して発光素子を点灯状態にしたり電源から発光素子を切断して発光素子を消灯状態にしたりするためのスイッチング回路と、発光素子の点灯状態および消灯状態を切り替えるために、スイッチング回路の状態を切り替えるための発振回路とを含み、電源、スイッチング回路および発振回路は、装飾品本体に設けられ、発振回路でスイッチング回路の状態を切り替えることによって発光素子を点滅させるようにした装飾品であって、発振回路として相補型ＭＯＳを利用した発振回路が用いられ、電源の電圧が装飾品本体に設けられた抵抗器およびコンデンサで分圧され、コンデンサ間側の電圧が発振回路の電源電圧として発振回路に供給されるように構成された、装飾品である。
【発明の効果】
【０００７】
この発明にかかる装飾品では、装飾品本体に設けられた電源の電圧が抵抗器およびコンデンサで分圧され、コンデンサ間側の電圧が相補型ＭＯＳを利用した発振回路の電源電圧として発振回路に供給されるように構成されているので、発振回路における消費電量が小さくなる。そのため、この発明によれば、３端子レギュレータを用いずに、発振回路による消費電力を抑えて、発光素子を長期間点滅させることができる装飾品が得られる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
この発明にかかる装飾品の一例としての耳用のピアスについて説明する。なお、この耳用のピアスは、右耳用のピアスと左耳用のピアスとが同様な構造なので、特に片側のピアスについて説明する。
図１はこの発明にかかる装飾品の一例としてのピアスにおいて留め部の留め片を開いた状態を示す斜視図であり、図２は図１に示すピアスにおいて留め部の留め片を閉じた状態を示す斜視図であり、図３は図１に示すピアスおよびそれに適用される外部電源の回路図である。
【００１０】
図１に示すピアス１０は、たとえば矩形状の絶縁体からなる装飾品本体としてのピアス本体１２を含む。ピアス本体１２には、金属等の導電性材料からなる留め片１４、１６を有する留め部１８が設けられる。留め部１８は、ピアス本体１２を耳に留めるためのものであるとともに、メインスイッチや後述の二次電池２４の充電用接点を兼ねるものである。一方の留め片１４は、ピアス本体１２の長手方向の一方側に配置され、他方の留め片１６は、ピアス本体１２の長手方向の他方側に配置される。一方の留め片１４は、その一端がピアス本体１２に固着される湾曲状部１４ａとその湾曲状部１４ａに連接される直線状部１４ｂとを含む。他方の留め片１６は、その一端がピアス本体１２に固着される鈎針状のフック部１６ａを含む。
【００１１】
ピアス本体１２は、その中央部に、ピアス本体１２の表面側に露出する発光部２０を備える。発光部２０は、ピアス本体１２内の基板（図示せず）に設けられる発光素子としてのたとえば発光ダイオード２２（図３参照）を含む。この場合、発光ダイオード２２は、その点灯状態が外部からわかるように、ピアス本体１２の内部に設けられる。
【００１２】
また、このピアス１０は、ピアス本体１２内の基板に設けられる電源としての二次電池２４を含む。二次電池２４としては、たとえば極小タイプの３Ｖリチウムボタン電池等が用いられる。
【００１３】
さらに、このピアス１０は、スイッチング回路２６を含む。スイッチング回路２６は、二次電池２４を発光ダイオード２２に接続して発光ダイオード２２を点灯状態にしたり、二次電池２４から発光ダイオード２２を切断して発光ダイオード２２を消灯状態にしたりするためのものである。
スイッチング回路２６は、ピアス本体１２内の基板に設けられるスイッチング素子としてのトランジスタ２８を含み、発光ダイオード２２、二次電池２４およびトランジスタ２８などが直列に接続される。すなわち、二次電池２４の正極がピアス本体１２内の基板に設けられる電流制限用抵抗器２３を介して発光ダイオード２２のアノードに接続され、発光ダイオード２２のカソードがトランジスタ２８のコレクタに接続され、トランジスタ２８のエミッタが接地されるとともに、メインスイッチの一方の接点を兼ねる留め片１４も接地される。また、二次電池２４の負極がメインスイッチの他方の接点を兼ねる留め片１６に接続される。
したがって、留め片１４、１６を閉じることによってメインスイッチをオン状態にすれば、スイッチング回路２６のトランジスタ２８のオン状態またはオフ状態に応じて、発光ダイオード２２が点灯状態または消灯状態になる。
【００１４】
さらに、このピアス１０は、ピアス本体１２内の基板に設けられる相補型ＭＯＳを利用した発振回路３０を含む。発振回路３０は、発光ダイオード２２の点灯状態および消灯状態を切り替えるために、スイッチング回路２６のトランジスタ２８のオン状態およびオフ状態を切り替えるためのものである。
発振回路３０は、相補型ＭＯＳを利用したヒステリシス特性を有するインバータ３２を含む。インバータ３２としては、相補型ＭＯＳ集積回路である７４ＨＣ１３２に用いられる１つのナンドゲートにおいて２つの入力端子を接続して１つの入力端子にしたもの、または、相補型ＭＯＳ集積回路である７４ＨＣ１４に用いられるものが用いられる。インバータ３２の入力端子および出力端子間には、抵抗器３４およびダイオード３６を並列接続した並列回路と抵抗器３８とを直列接続した直列回路が、帰還回路として接続される。この場合、ダイオード３６のアノードは、インバータ３２の出力端子に接続され、ダイオード３６のカソードは、抵抗器３８を介して、インバータ３２の入力端子に接続される。また、インバータ３２の入力端子は、コンデンサ４０を介して接地される。
【００１５】
また、このピアス１０では、二次電池２４の電圧がピアス本体１２内の基板に設けられるたとえば１０ＭΩの抵抗器４２とたとえば１μＦのコンデンサ４４とで分圧され、そのコンデンサ４４間側の電圧が、発振回路３０の電源電圧として、発振回路３０に供給されるように構成される。
すなわち、二次電池２４の正極が抵抗器４２を介して発振回路３０のインバータ３２の電源端子３２ａに接続され、その電源端子３２ａおよび接地間にコンデンサ４４が接続される。さらに、発振回路３０のインバータ３２のグランド端子（図示せず）が接地される。
【００１６】
発振回路３０の出力端子すなわちインバータ３２の出力端子は、抵抗器４６を介して、スイッチング回路２６のトランジスタ２８のベースに接続される。この場合、発振回路３０の出力信号に応じて、スイチング回路２６のトランジスタ２８のオン状態およびオフ状態が切り替わるように構成される。
【００１７】
また、このピアス１０では、二次電池２４の正極に充電用ダイオード４８のカソードが接続され、その充電用ダイオード４８のアノードが接地される。充電用ダイオード４８は、二次電池２４を充電する際にオン状態となるものである。
【００１８】
さらに、このピアス１０には、必要に応じて、外部電源５０が適用される。外部電源５０は、二次電池２４に電力を供給して二次電池２４を充電するためのものである。外部電源５０は、電池５２を含む。電池５２としては、たとえばＤＣ３Ｖの一次電池が用いられる。電池５２の正極は、電流制限用抵抗器５４を介して正極用接点５６に接続され、電池５２の負極は、負極用接点５８に接続される。正極用接点５６は、一方の充電用接点を兼ねる留め片１４に接続しやすいように、留め片１４を挟持できる構造に形成される。また、負極用接点５８は、他方の充電用接点を兼ねる留め片１６に接続しやすいように、留め片１６を挟持できる構造に形成される。
【００１９】
このピアス１０では、ピアス本体１２を耳に留めるために留め片１４を耳に通して留め片１４、１６を閉じると、メインスイッチがオン状態になる。このピアス１０では、留め片１４、１６がメインスイッチを兼ねるので、留め片１４、１６以外にメインスイッチとなる部品が不要である点で、小型化を図ることができる。
【００２０】
そして、このピアス１０では、留め片１４、１６を閉じてメインスイッチがオン状態になると、発振回路３０の出力信号によってスイッチング回路２６におけるトランジスタ２８のオン状態およびオフ状態が切り替わり、発光ダイオード２２が点滅する。
この場合、このピアス１０では、発振回路３０の電源電圧として、二次電池２４の電圧を抵抗器４２およびコンデンサ４４で分圧し、コンデンサ４４間側の電圧を発振回路３０に供給しているので、このような抵抗器４２およびコンデンサ４４を使用する代わりに、二次電池２４の正極を発振回路３０のインバータ３２の電源端子３２ａに直接接続して、二次電池２４の電圧を発振回路３０の電源電圧として発振回路３０に供給するものと比べて、発振回路３０における消費電力が小さくなり、発光ダイオード２２を長期間点滅することができる。
さらに、このピアス１０では、そのような抵抗器４２およびコンデンサ４４を使用する代わりに、二次電池２４の電圧を３端子レギュレータで低下して発振回路３０の電源電圧として発振回路３０に供給するものと比べて、３端子レギュレータが不要となり、消費電力が小さくなり、発光ダイオード２２を長期間点滅することができる。
【００２１】
また、このピアス１０では、二次電池２４が放電されてしまった場合、留め片１４、１６を充電用接点として、二次電池２４を充電することができる。この場合、留め片１４、１６が開かれ、たとえば、留め片１４に外部電源５０の正極用接点５６が接続され、留め片１６に外部電源５０の負極用接点５８が接続される。それによって、充電用ダイオード４８がオン状態となり、外部電源５０の電池５２から電流制限用抵抗器５４および充電用ダイオード４８を介して二次電池２４に電力が供給され、二次電池２４が充電される。
【００２２】
また、このピアス１０では、上述のようにして二次電池２４を充電する場合、充電用ダイオード４８がオン状態となるので、発振回路３０、スイッチング回路２８および発光ダイオード２２によってほとんど電力が消費されず、経済的である。
【００２３】
さらに、このピアス１０では、留め片１４、１６が充電用接点を兼ねるので、留め片１４、１６以外に充電用接点となる部品が不要である点でも、小型化を図ることができる。
【００２４】
なお、上述のピアス１０では、発光素子としての発光ダイオード２２が装飾品本体としてのピアス本体１２の内部に設けられているが、この発明では、発光ダイオード以外の発光素子が用いられてもよく、また、発光素子は少なくとも一部分が装飾品本体から露出するように設けられてもよい。
【００２５】
また、上述のピアス１０では、電源として３Ｖの二次電池２４が用いられているが、この発明では、電源として３Ｖ以外の二次電池が用いられてもよく、または、電源として一次電池が用いられてもよい。同様に、外部電源５０の電池５２として、３Ｖ以外の一次電池が用いられてもよく、または、二次電池が用いられてもよい。
【００２６】
さらに、上述のピアス１０では、特定の回路構成のスイッチング回路２６や特定の回路構成の相補型ＭＯＳを利用した発振回路３０が用いられているが、この発明では、他の回路構成のスイッチング回路や他の回路構成の相補型ＭＯＳを利用した発振回路が用いられてもよい。また、二次電池２４の電圧を分圧して発振回路３０に供給する抵抗器４２やコンデンサ４４についても、他の抵抗値の抵抗器や他の静電容量値のコンデンサが用いられてもよい。
【００２７】
また、上述のピアス１０では、特定の形状の留め片１４、１６が用いられているが、留め片１４、１６は他の形状に変更されてもよい。同様に、外部電源５０の正極用接点５６および負極用接点５８の構造についても適宜に変更されてもよい。
【００２８】
さらに、上述の例では、装飾品の一例としてのピアス１０について説明したが、この発明は、イヤリング等の他の耳輪や、ネクタイピン、ブレスレット、ペンダント、ブローチ、ネックレス、指輪等の装飾品にも適用され得る。
【産業上の利用可能性】
【００２９】
この発明は、発振回路等によって点滅する発光素子を有する、たとえばピアスおよびイヤリングなどの耳輪や、ネクタイピン、ブレスレット、ペンダント、ブローチ、ネックレス、指輪等の装飾品に適用できる。
【図面の簡単な説明】
【００３０】
【図１】この発明にかかる装飾品の一例としてのピアスにおいて留め部の留め片を開いた状態を示す斜視図である。
【図２】図１に示すピアスにおいて留め部の留め片を閉じた状態を示す斜視図である。
【図３】図１に示すピアスおよびそれに適用される外部電源の回路図である。
【符号の説明】
【００３１】
１０  ピアス
１２  ピアス本体
１４、１６  留め片
１８  留め部
２０  発光部
２２  発光ダイオード
２３  電流制限用抵抗器
２４  二次電池
２６  スイッチング回路
２８  トランジスタ
３０  発振回路
３２  インバータ
３２ａ  電源端子
３４、３８、４２、４６  抵抗器
３６  ダイオード
４０、４４  コンデンサ
４８  充電用ダイオード
５０  外部電源
５２  電池
５４  電流制限用抵抗器
５６  正極用接点
５８  負極用接点
【図１】
2006061465.tif 000003
【図２】
2006061465.tif 000004
【図３】
2006061465.tif 000005